(57)【要約】【課題】湿度によるコンポジットブラックの色変動を低減可能なインクセット及びインクジェット記録方法を提供する。【解決手段】イエロー染料を含有するイエローインクと、マゼンタ染料を含有するマゼンタインクと、シアン染料を含有するシアンインクと、オレンジ染料を含有するオレンジインクとを含み、前記イエロー染料の分子量と、前記マゼンタ染料の分子量との差が１００以下であり、前記シアン染料の分子量と、前記オレンジ染料の分子量との差が１００以下である、インクセット。【選択図】なし【特許請求の範囲】
【請求項１】
イエロー染料を含有するイエローインクと、マゼンタ染料を含有するマゼンタインクと、シアン染料を含有するシアンインクと、オレンジ染料を含有するオレンジインクとを含み、
前記イエロー染料の分子量と、前記マゼンタ染料の分子量との差が、１００以下であり、
前記シアン染料の分子量と、前記オレンジ染料の分子量との差が、１００以下である、インクセット。
【請求項２】
前記イエロー染料の分子量と、前記マゼンタ染料の分子量との差が７５以下であり、
前記シアン染料の分子量と、前記オレンジ染料の分子量との差が７５以下である、請求項１記載のインクセット。
【請求項３】
前記イエロー染料の分子量と、前記マゼンタ染料の分子量との差が５０以下であり、
前記シアン染料の分子量と、前記オレンジ染料の分子量との差が５０以下である、請求項１記載のインクセット。
【請求項４】
前記各染料の分子量が８００以上である、請求項１〜３のいずれか一項に記載のインクセット。
【請求項５】
前記各染料の分子量が８００以上であり、
前記イエロー染料の分子量と、前記マゼンタ染料の分子量との差が７５以下であり、
前記シアン染料の分子量と、前記オレンジ染料の分子量との差が７５以下である、請求項１記載のインクセット。
【請求項６】
前記各染料の分子量が８００以上であり、
前記イエロー染料の分子量と、前記マゼンタ染料の分子量との差が５０以下であり、
前記シアン染料の分子量と、前記オレンジ染料の分子量との差が５０以下である、請求項１記載のインクセット。
【請求項７】
前記各インクが、下記性質（Ａ）を満たす第１有機溶剤と、下記性質（Ｂ）又は（Ｃ）を満たす第２有機溶剤とを含む有機溶剤とを含有し、前記各インクにおける前記第１有機溶剤の含有量（Ｓ１）と、前記第２有機溶剤の含有量（Ｓ２）との質量比（Ｓ１／Ｓ２）が、１５．３以上２０５以下である、請求項１〜６のいずれか一項に記載のインクセット。
（Ａ）ポリビニルアルコールとの混合物を作製した際に、該混合物の全質量に対して、７割以上の質量を有する塊が生じ、かつ、該塊に５．３ｇ／ｍｍ2以上７．１ｇ／ｍｍ2以下の荷重を加えた際に、該塊の全質量に対して９割以上の質量を有する塊が生じる。
（Ｂ）ポリビニルアルコールとの混合物を作製した際に、該混合物の全質量に対して、７割以上の質量を有する塊が生じ、かつ、該塊に５．３ｇ／ｍｍ2以上７．１ｇ／ｍｍ2以下の荷重を加えた際に、該塊の全質量に対して９割以上の質量を有する塊が生じない。
（Ｃ）ポリビニルアルコールとの混合物を作製した際に、該混合物の全質量に対して、７割以上の質量を有する塊が生じない。
【請求項８】
請求項１〜７のいずれか一項に記載のインクセットの各インクを吐出させることにより、被記録媒体に付着させる付着工程を含む、インクジェット記録方法。
【請求項９】
前記被記録媒体が、親水性成分を含有するインク受容層を含み、
前記付着工程において、各インクを前記被記録媒体のインク受容層に付着させる、請求項８記載のインクジェット記録方法。
【請求項１０】
請求項１〜７のいずれか一項に記載のインクセットの各インクを、被記録媒体に付着させ、コンポジットブラックの色変動を低減する方法。
【発明の詳細な説明】
【技術分野】
【０００１】
本発明は、インクセット及びインクジェット記録方法に関する。
【背景技術】
【０００２】
被記録媒体に、画像データ信号に基づき、画像を形成する記録方法として、インクジェット方式などがある。インクジェット方式は、安価な装置で、必要とされる画像部のみにインクを吐出し、被記録媒体上に直接画像形成を行うため、インクを効率良く使用でき、ランニングコストが安い。
【０００３】
インクジェット方式では、通常、各種の染料又は顔料などの色材と、この色材を溶解又は分散させるための水又は水溶性有機溶剤を主成分とするインクが使用されることが多い。特に、透明感のある発色が得られる観点から、色材として水溶性の染料を含有するインクが好ましく使用される。しかし、色材として水溶性の染料を使用すると、耐湿性が劣るため、湿度により、染料が被記録媒体に拡散（マイグレーション）することに起因して滲みが生じる。そして、イエローインクと、マゼンタインクと、シアンインクとを混合し、コンポジットブラックを記録すると、高湿環境下では、染料の拡散（マイグレーション）による滲みに起因してコンポジットブラックの色変動が生じるという問題がある。この問題を解決するために、種々の方法が提案されている。
【０００４】
例えば、特許文献１には、高湿環境下における二次色（二色以上の水性インクを混合して調製された色）の被記録媒体上の色変動を抑制することを目的として、特定の染料及びカチオン性ポリマーが、所定条件を満足するように配合されている二種類以上のインクジェット記録用水性インクセットが開示されている。
【先行技術文献】
【特許文献】
【０００５】
【特許文献１】特開２０１３−１４７５５７号公報
【発明の概要】
【発明が解決しようとする課題】
【０００６】
特許文献１に記載のインクセットでは、光沢紙上の負の電位を有するシリカ粒子等で構成されるインク受容層と、カチオン性ポリマーとの静電的な相互作用による目止めを利用して、湿度による染料の光沢紙上の拡散（マイグレーション）を抑制する。しかし、この文献に記載のインクセットは、インク受容層に静電的に相互作用できる物質を有しない被記録媒体には有効に作用しないため、染料の拡散による滲みを抑制できず、滲みによる色変動を改善できない。特に、近年のエマージング市場においては、インクジェット方式の被記録媒体として、低コストの観点から、ポリビニルアルコール（ＰＶＡ）等の親水性樹脂がインク受容層に塗布された低コスト記録メディアと、水溶性の染料を含有するインクとを組み合わせることが多い。特許文献１に記載のインクセットをこのような低コスト記録メディアに適用すると、滲みによるコンポジットブラックの色変動（特にブルーシフト）を抑制できない。
【０００７】
そこで、本発明は、上述の課題を解決するためになされたものであり、湿度によるコンポジットブラックの色変動を低減可能なインクセット及びインクジェット記録方法を提供することを目的とする。
【課題を解決するための手段】
【０００８】
本発明者らは、上記課題を解決するために鋭意検討した結果、イエロー染料とマゼンタ染料とシアン染料とオレンジ染料とを組み合わせ、イエロー染料の分子量とマゼンタ染料の分子量との差、及びシアン染料の分子量とオレンジ染料の分子量との差をそれぞれ特定値以下とすると、湿度によるコンポジットブラックの色変動を低減可能であることを見出して、本発明を完成させた。
【０００９】
すなわち、本発明のインクセットは、イエロー染料を含有するイエローインクと、マゼンタ染料を含有するマゼンタインクと、シアン染料を含有するシアンインクと、オレンジ染料を含有するオレンジインクとを含み、前記イエロー染料の分子量と、前記マゼンタ染料の分子量との差が、１００以下であり、前記シアン染料の分子量と、前記オレンジ染料の分子量との差が、１００以下である。
【００１０】
本発明のインクセットは、前記イエロー染料の分子量と、前記マゼンタ染料の分子量との差が７５以下であり、前記シアン染料の分子量と、前記オレンジ染料の分子量との差が７５以下であることが好ましく、前記イエロー染料の分子量と、前記マゼンタ染料の分子量との差が５０以下であり、前記シアン染料の分子量と、前記オレンジ染料の分子量との差が５０以下であることが好ましい。本発明のインクセットは、前記各染料の分子量が８００以上であることが好ましい。本発明のインクセットは、前記各染料の分子量が８００以上であり、前記イエロー染料の分子量と、前記マゼンタ染料の分子量との差が７５以下であり、前記シアン染料の分子量と、前記オレンジ染料の分子量との差が７５以下であることが好ましく、前記イエロー染料の分子量と、前記マゼンタ染料の分子量との差が５０以下であり、前記シアン染料の分子量と、前記オレンジ染料の分子量との差が５０以下であることが好ましい。本発明のインクセットは、前記各インクが、下記性質（Ａ）を満たす第１有機溶剤と、下記性質（Ｂ）又は（Ｃ）を満たす第２有機溶剤とを含む有機溶剤とを含有し、前記各インクにおける前記第１有機溶剤の含有量（Ｓ１）と、前記第２有機溶剤の含有量（Ｓ２）との質量比（Ｓ１／Ｓ２）が、１５．３以上２０５以下であることが好ましい。
（Ａ）ポリビニルアルコールとの混合物を作製した際に、該混合物の全質量に対して、７割以上の質量を有する塊が生じ、かつ、該塊に５．３ｇ／ｍｍ2以上７．１ｇ／ｍｍ2以上の荷重を加えた際に、該塊の全質量に対して、９割以上の質量を有する塊が生じる。
（Ｂ）ポリビニルアルコールとの混合物を作製した際に、該混合物の全質量に対して、７割以上の質量を有する塊が生じ、かつ、該塊に５．３ｇ／ｍｍ2以上７．１ｇ／ｍｍ2以下の荷重を加えた際に、該塊の全質量の９割以上の質量を有する塊が生じない。
（Ｃ）ポリビニルアルコールとの混合物を作製した際に、該混合物の全質量に対して、７割以上の質量を有する塊が生じない。
【００１１】
本発明のインクジェット記録方法は、本発明のインクセットの各インクを吐出させることにより、被記録媒体に付着させる付着工程を含む。前記被記録媒体が、親水性成分を含有するインク受容層を含み、前記付着工程において、各インクを前記被記録媒体のインク受容層に付着させることが好ましい。
【００１２】
本発明のコンポジットブラックの色変動を低減する方法は、本発明のインクセットの各インクを、被記録媒体に付着させる。
【００１３】
このようなインクセットが本発明の課題を解決できる要因は下記のように考えている。ただし、要因はこれに限定されない。すなわち、高湿環境下では、画像の滲みが生じ、ドットが広がることに起因してインクの吸光度が増加する（反射率が低下する）。この吸光度の増加に伴い、各インクに含まれる染料の色変動が生じると考えられる。これに対し、本発明は、イエロー染料と、マゼンタ染料と、シアン染料と、オレンジ染料とを組み合わせ、かつイエロー染料の分子量と、マゼンタ染料の分子量との差、及びシアン染料の分子量と、オレンジ染料の分子量との差をそれぞれ比較的小さくしている。この構成を主因として、滲みによって各染料の色変動が生じても、イエロー染料の色変動とマゼンタ染料の色変動とが相殺し、シアン染料の色変動とオレンジ染料の色変動とが相殺するため、各染料を混合することにより形成されるコンポジットブラックの色変動（特にブルーシフト）が低減（抑制）されると考えられる。
【図面の簡単な説明】
【００１４】
【図１】等色関数Ｘ（λ）、Ｙ（λ）、及びＺ（λ）における波長と相対強度との関係を示す参考図である。
【図２】シアン、マゼンタ、イエロー、及びブラックにおける波長と吸光度との関係を示す参考図である。
【図３】Ｌ*ａ*ｂ*表色系におけるａ*ｂ*二次元色座標（直交座標）を示す参考図である。
【図４】本実施形態のインクジェット記録方法の一例を示すフローチャートである。
【発明を実施するための形態】
【００１５】
以下、必要に応じて図面を参照しつつ、本発明の実施の形態（以下、「本実施形態」という。）について詳細に説明するが、本発明はこれに限定されるものではなく、その要旨を逸脱しない範囲で様々な変形が可能である。
【００１６】
本明細書において、「滲み（ブリーディング）」とは、記録された画像の輪郭部分が滲んで、不鮮明になる状態をいう。
【００１７】
［インクセット］
本実施形態のインクセットは、イエロー染料を含有するイエローインクと、マゼンタ染料を含有するマゼンタインクと、シアン染料を含有するシアンインクと、オレンジ染料を含有するオレンジインクとを含み、イエロー染料の分子量と、マゼンタ染料の分子量との差が１００以下であり、シアン染料の分子量と、オレンジ染料の分子量との差が、１００以下である。本明細書にいう「分子量」とは、各インクを構成する染料を単独で構成する場合は、単独の染料の分子量をいい、複数の染料で構成する場合は、複数の染料を加重平均した平均分子量をいう。
【００１８】
このようなインクセットが、湿度によるコンポジットブラックの色変動を低減可能である要因は下記のように考えている。ただし、要因はこれに限定されない。すなわち、高湿環境下では、画像の滲みが生じ、ドットが広がることに起因してインクの吸光度が増加する（反射率が低下する）。
【００１９】
ここで、シアン染料の吸収領域は、図１及び図２に示すように、等色関数Ｘ（λ）の感度領域と大きく重なり、等色関数Ｙ（λ）の感度領域とやや重なり、等色関数Ｚ（λ）の感度領域とはほとんど重なっていないため、吸光度の増加に伴い、下記式（１）及び（２）で表されるクロマティクネス指数ａ*及びｂ*は、それぞれ負に傾く。そして、図３に示すように、シアン染料の色は、Ｌ*ａ*ｂ*表色系におけるａ*ｂ*二次元色座標（直交座標）において、第３象限の方向に移動（変動）する。
【００２０】
マゼンタ染料の吸収領域は、図１及び図２に示すように、等色関数Ｘ（λ）の感度領域とやや重なり、等色関数Ｙ（λ）の感度領域と大きく重なり、等色関数Ｚ（λ）の感度領域と若干重なっているため、吸光度の増加に伴い、下記式（１）で表されるクロマティクネス指数ａ*は、正に傾き、下記式（２）で表されるクロマティクネス指数ｂ*は、負に傾く。そして、図３に示すように、マゼンタ染料の色は、Ｌ*ａ*ｂ*表色系におけるａ*ｂ*二次元色座標（直交座標）において、第４象限の方向に移動（変動）する。
【００２１】
イエロー染料の吸収領域は、図１及び図２に示すように、等色関数Ｘ（λ）の感度領域と若干重なり、等色関数Ｙ（λ）の感度領域とほとんど重ならず、等色関数Ｚ（λ）の感度領域と大きく重なるため、吸光度の増加に伴い、下記式（１）で表されるクロマティクネス指数ａ*は、負に傾き、下記式（２）で表されるクロマティクネス指数ｂ*は、正に傾く。そして、図３に示すように、イエロー染料の色は、Ｌ*ａ*ｂ*表色系におけるａ*ｂ*二次元色座標（直交座標）において、第２象限の方向に移動（変動）する。
【００２２】
オレンジ染料の主な吸収ピークは、マゼンタ染料の吸収ピークとイエロー染料の吸収ピークとの間に存在し、等色関数Ｘ（λ）の感度領域とほとんど重ならず、等色関数Ｙ（λ）の感度領域とやや重なり、等色関数Ｚ（λ）の感度領域と大きく重なるため、吸光度の増加に伴い、下記式（１）及び（２）で表されるクロマティクネス指数ａ*及びｂ*は、正に傾く。そして、図３に示すように、オレンジ染料の色は、Ｌ*ａ*ｂ*表色系におけるａ*ｂ*二次元色座標（直交座標）において、第１象限の方向に移動（変動）する。
【００２３】
ここで、図３に示すように、マゼンタ染料の色の変動方向は、イエロー染料の色の変動方向と反対方向にあり、シアン染料の色の変動方向は、オレンジ染料の色の変動方向と反対方向にある。そして、各染料の変動方向の大きさは、各染料の分子量と相関する。このため、互いに変動方向が反対方向にあるマゼンタ染料とイエロー染料は、各分子量の差が比較的小さいことを主因として、互いの色変動が相殺されるようになり、互いに変動方向が反対方向にあるシアン染料とオレンジ染料は、各分子量の差が比較的小さいことを主因として、互いの色変動が相殺される。これにより、高湿環境下で画像の滲みが生じ、各染料の色変動が生じても、各染料を混合して形成されたコンポジットブラックの色変動が低減（抑制）されると考えられる。なお、図３に示すように、ａ*軸において、正に移動すると赤色に変動する傾向にあり、負に傾くと緑色に変動する傾向にあり、ｂ*軸において、正に移動すると、黄色に変動する傾向にあり、負に移動すると、青色に変動する傾向にある。
【数１】
2018177940.tif 000002
【数２】
2018177940.tif 000003
（前記式（１）及び（２）中、Ｘ，Ｙ，Ｚは、ＸＹＺ形式（表色系）における三刺激値であり、Ｘｎ，Ｙｎ，Ｚｎは、完全拡散反射面の三刺激値である。）
【００２４】
［イエローインク］
本実施形態のイエローインクは、イエロー染料を含有する。イエロー染料としては、特に限定されないが、例えば、Ｃ．Ｉ．アシッドイエロー１、３、１１、１７、１９、２３、２５、２９、３６、３８、４０、４２、４４、４９、５９、６１、７０、７２、７５、７６、７８、７９、９８、９９、１１０、１１１、１２７、１３１、１３５、１４２、１６２、１６４、１６５、Ｃ．Ｉ．ダイレクトイエロー１、８、１１、１２、２４、２６、２７、３３、３９、４４、５０、５８、８５、８６、８７、８８、８９、９８、１１０、１３２、１４２、１４４、１６２、１６５、Ｃ．Ｉ．リアクティブイエロー１、２、３、４、６、７、１１、１２、１３、１４、１５、１６、１７、１８、２２、２３、２４、２５、２６、２７、３７、４２、Ｃ．Ｉ．フードイエロー３、４、Ｃ．Ｉ．ソルベントイエロー１５、１９、２１、３０、１０９が挙げられる。これらのイエロー染料は、１種を単独で、又は２種以上を組み合わせて用いることができる。
【００２５】
［マゼンタインク］
本実施形態のマゼンタインクは、マゼンタ染料を含有する。マゼンタ染料としては、特に限定されないが、例えば、Ｃ．Ｉ．アシッドレッド１、６、８、９、１３、１４、１８、２６、２７、３２、３５、３７、４２、５１、５２、５７、７５、７７、８０、８２、８５、８７、８８、８９、９２、９４、９７、１０６、１１１、１１４、１１５、１１７、１１８、１１９、１２９、１３０、１３１、１３３、１３４、１３８、１４３、１４５、１５４、１５５、１５８、１６８、１８０、１８３、１８４、１８６、１９４、１９８、２０９、２１１、２１５、２１９、２４９、２５２、２５４、２６２、２６５、２７４、２８２、２８９、３０３、３１７、３２０、３２１、３２２、Ｃ．Ｉ．ダイレクトレッド１、２、４、９、１１、１３、１７、２０、２３、２４、２８、３１、３３、３７、３９、４４、４６、６２、６３、７５、７９、８０、８１、８３、８４、８９、９５、９９、１１３、１９７、２０１、２１８、２２０、２２４、２２５、２２６、２２７、２２８、２２９、２３０、２３１、Ｃ．Ｉ．リアクティブレッド１、２、３、４、５、６、７、８、１１、１２、１３、１５、１６、１７、１９、２０、２１、２２、２３、２４、２８、２９、３１、３２、３３、３４、３５、３６、３７、３８、３９、４０、４１、４２、４３、４５、４６、４９、５０、５８、５９、６３、６４、Ｃ．Ｉ．ソルビライズレッド１、Ｃ．Ｉ．フードレッド７、９、１４が挙げられる。これらのマゼンタ染料は、１種を単独で、又は２種以上を組み合わせて用いることができる。
【００２６】
［シアンインク］
本実施形態のシアンインクは、シアン染料を含有する。シアン染料としては、例えば、Ｃ．Ｉ．アシッドブルー１、７、９、１５、２２、２３、２５、２７、２９、４０、４１、４３、４５、５４、５９、６０、６２、７２、７４、７８、８０、８２、８３、９０、９２、９３、１００、１０２、１０３、１０４、１１２、１１３、１１７、１２０、１２６、１２７、１２９、１３０、１３１、１３８、１４０、１４２、１４３、１５１、１５４、１５８、１６１、１６６、１６７、１６８、１７０、１７１、１８２、１８３、１８４、１８７、１９２、１９９、２０３、２０４、２０５、２２９、２３４、２３６、２４９、Ｃ．Ｉ．ダイレクトブルー１、２、６、１５、２２、２５、４１、７１、７６、７７、７８、８０、８６、８７、９０、９８、１０６、１０８、１２０、１２３、１５８、１６０、１６３、１６５、１６８、１９２、１９３、１９４、１９５、１９６、１９９、２００、２０１、２０２、２０３、２０７、２２５、２２６、２３６、２３７、２４６、２４８、２４９、Ｃ．Ｉ．リアクティブブルー１、２、３、４、５、７、８、９、１３、１４、１５、１７、１８、１９、２０、２１、２５、２６、２７、２８、２９、３１、３２、３３、３４、３７、３８、３９、４０、４１、４３、４４、４６、Ｃ．Ｉ．ソルビライズバットブルー１、５、４１、Ｃ．Ｉ．バットブルー４、２９、６０、Ｃ．Ｉ．フードブルー１、２、Ｃ．Ｉ．ベイシックブルー９、２５、２８、２９、４４が挙げられる。これらのシアン染料は、１種を単独で、又は２種以上を組み合わせて用いることができる。
【００２７】
［オレンジインク］
本実施形態のオレンジインクは、オレンジ染料を含有する。オレンジ染料としては、例えば、アシッドオレンジ３、７、８、１０、１９、２２、２４、３３、４５、５１、５１Ｓ、５６、６７、７４、８０、８６、８７、８８、８９、９４、９５、１０７、１０８、１１６、１２２、１２７、１４０、１４２、１４４、１４９、１５２、１５６、１６２、１６６、１６８、ダイレクトオレンジ１、６、８、１０、２６、２７、３４、３９、４０、４６、４９、１０２、１０５、１０７、１１８、リアクティブオレンジ１、２、４、５、７、１１、１２、１３、１５、１６、２０、３０、３５、５６、６４、６７、６９、７０、７２、７４、８２、８４、８６、８７、９１、９２、９３、９５、１０７が挙げられる。これらのオレンジ染料は、１種を単独で、又は２種以上を組み合わせて用いることができる。
【００２８】
本実施形態のイエロー染料の分子量と、マゼンタ染料の分子量との差Ｍy-m、及びシアン染料の分子量と、オレンジ染料の分子量との差Ｍc-oは、それぞれ１００以下であり、好ましくは７５以下、より好ましくは５０以下、さらに好ましくは４０以下、特に３０以下（好ましくは２５以下、より好ましくは２０以下、さらに好ましくは１５以下、特に１０以下）である。Ｍy-m及びＭC-Oが、それぞれ１００以下であることにより、高湿環境下で画像の滲みが生じても、コンポジットブラックの色変動が低減（抑制）される。
【００２９】
本実施形態の各染料の分子量は、８００以上（例えば、８００以上１８００以下）であることが好ましく、９００以上であることがより好ましく、１０００以上であることがさらに好ましい。各染料の分子量が８００以上であることにより、高湿環境下で画像の滲みがより一層抑制され、コンポジットブラックの色変動がより一層低減（抑制）される傾向にある。
【００３０】
分子量Ｍが８００以上であるイエロー染料の代表例としては、Ｃ．Ｉ．アシッドイエロー７９（Ｍ＝１１１１）、１２７（Ｍ＝８０４）、リアクティブイエロー２（Ｍ＝８７３）、１８（Ｍ＝９０６）、ダイレクトイエロー５０（Ｍ＝９５７）、ダイレクトイエロー３３（Ｍ＝１０５５）、３９（Ｍ＝１３１３）、８６（Ｍ＝１０６７）、１６２（Ｍ＝１３２６）が挙げられる。
【００３１】
分子量が８００以上であるマゼンタ染料の代表例としては、Ｃ．Ｉ．アシッドレッド１４（Ｍ＝８８０）、１５（Ｍ＝８７６）、５１（Ｍ＝８８０）、６２（Ｍ＝８８７）、８５（Ｍ＝８０３）、９４（Ｍ＝１０５０）、１１１（Ｍ＝８３１）、１１４（Ｍ＝８３１）、１３４（Ｍ＝８７３）、１４５（Ｍ＝９３３）、１５４（Ｍ＝８４１）、リアクティブレッド４（Ｍ＝９９５）、１５（Ｍ＝８７６）、３１（Ｍ＝９９２）、３３（Ｍ＝８１８）、４０（Ｍ＝９４７）、４３（Ｍ＝８０４）、４５（Ｍ＝８０２）、４６（Ｍ＝９７０）、ダイレクトレッド４（Ｍ＝９０９）、２３（Ｍ＝８１４）、２４（Ｍ＝９０３）、４６（Ｍ＝９７０）、６２（Ｍ＝８８７）、７５（Ｍ＝９９１）、７９（Ｍ＝１０４９）、８０（Ｍ＝１３７３）、８３（Ｍ＝９９３）、８４（Ｍ＝１１３７）、８９（Ｍ＝１１７７）、９９（Ｍ＝９４１）、１１３（Ｍ＝８９３）、２２０（Ｍ＝９９３）、２２４（Ｍ＝１１７５）、２２７（Ｍ＝１６７３）、フードレッド１４（Ｍ＝８８０）が挙げられる。
【００３２】
分子量が８００以上であるシアン染料の代表例としては、Ｃ．Ｉ．アシッドブルー８３（Ｍ＝８２６）、９０（Ｍ＝８５４）、９３（Ｍ＝８００）、１０３（Ｍ＝８１５）、１１７（Ｍ＝９５４）、１２７（Ｍ＝８７３）、１４０（Ｍ＝８４５）、１４２（Ｍ＝８１５）、２４９（Ｍ＝９８４）、リアクティブブルー２（Ｍ＝８４０）、５（Ｍ＝８４０）、６（Ｍ＝９３３）、１３（Ｍ＝８６６）、１５（Ｍ＝１２８３）、４０（Ｍ＝８４６）、ダイレクトブルー１（Ｍ＝９９３）、６（Ｍ＝９３３）、１５（Ｍ＝９９３）、２５（Ｍ＝９６３）、７１（Ｍ＝１０３０）、７６（Ｍ＝９９３）、７８（Ｍ＝１０５６）、８０（Ｍ＝１０５８）、８７（Ｍ＝８８２）、９０（Ｍ＝１０３７）、９８（Ｍ＝９２４）、１０８（Ｍ＝８９６）、１２０（Ｍ＝８７８）、１５８（Ｍ＝１１３３）、１６０（Ｍ＝９８９）、１６３（Ｍ＝９８８）、１６８（Ｍ＝８５０）、２０１（Ｍ＝９５２）、２２６（Ｍ＝１０６５）が挙げられる。
【００３３】
分子量が８００以上であるオレンジ染料の代表例としては、Ｃ．Ｉ．アシッドオレンジ４５（Ｍ＝８０２）、５１（Ｍ＝８６１）、リアクティブオレンジ２（Ｍ＝８３２）、ダイレクトオレンジ４９（Ｍ＝１０１７）、１０２（Ｍ＝８２３）が挙げられる。
【００３４】
分子量が８００以上であり、Ｍy-mが１００以下であるイエロー染料とマゼンタ染料の具体的な組み合わせとしては、表１及び表２に示すＹＭ１〜ＹＭ９９の組み合わせが挙げられる。
【００３５】
【表１】
2018177940.tif 000004
【００３６】
【表２】
2018177940.tif 000005
【００３７】
分子量が８００以上であり、Ｍc-oが１００以下であるシアン染料とオレンジ染料の具体的な組み合わせとしては、表３に示すＣＯ１〜ＣＯ８１の組み合わせが挙げられる。
【００３８】
【表３】
2018177940.tif 000006
【００３９】
【表４】
2018177940.tif 000007
【００４０】
本実施形態のインクセットは、コンポジットブラックの色変動をより一層低減（抑制）する観点から、ＹＭ１〜ＹＭ９９から選択される１種と、ＣＯ１〜ＣＯ８１から選択される１種とを組み合わせることが好ましい。
【００４１】
本実施形態の各インクは、各染料の分子量は、８００以上であり、かつ好ましくはＭy-m及びＭc-oが７５以下であり、より好ましくは５０以下であり、さらに好ましくは４０以下、特に３０以下（好ましくは２５以下、より好ましくは２０以下、さらに好ましくは１５以下、特に１０以下）である。本実施形態の各インクは、各染料の分子量が８００以上であり、かつＭy-m及びＭc-oが７５以下であることにより、高湿環境下であっても、滲みがより一層抑制されるとともに、コンポジットブラックの色変動がより一層低減（抑制）される傾向にある。
【００４２】
一方、本実施形態の各インクに含まれる染料の分子量が８００未満であっても、Ｍy-m及びＭc-oが１００以下であることにより、高湿環境下で滲みが生じても、コンポジットブラックの色変動が低減（抑制）される。分子量が８００以上である染料は、高湿環境下であっても滲みが抑制されるため好ましいが、分子量が８００以上である染料の種類の数は少ないため、染料の種類の選択性（自由度）に制約があるという問題がある。これに対し、本実施形態のインクセットは、Ｍy-m及びＭc-oを１００以下とすることにより、各染料の分子量を８００未満としてもコンポジットブラックの色変動を抑制できるため、染料の種類の選択性（自由度）にも優れる。
【００４３】
イエロー染料及びマゼンタ染料の少なくとも一方の分子量が８００未満であり、Ｍy-mが５０以下であるイエロー染料とマゼンタ染料の具体的な組み合わせとしては、表５〜表１８に示すＹＭ１００〜ＹＭ８０８の組み合わせが挙げられる。
【００４４】
【表５】
2018177940.tif 000008
【００４５】
【表６】
2018177940.tif 000009
【００４６】
【表７】
2018177940.tif 000010
【００４７】
【表８】
2018177940.tif 000011
【００４８】
【表９】
2018177940.tif 000012
【００４９】
【表１０】
2018177940.tif 000013
【００５０】
【表１１】
2018177940.tif 000014
【００５１】
【表１２】
2018177940.tif 000015
【００５２】
【表１３】
2018177940.tif 000016
【００５３】
【表１４】
2018177940.tif 000017
【００５４】
【表１５】
2018177940.tif 000018
【００５５】
【表１６】
2018177940.tif 000019
【００５６】
【表１７】
2018177940.tif 000020
【００５７】
【表１８】
2018177940.tif 000021
【００５８】
シアン染料及びオレンジ染料の少なくとも一方の分子量が８００未満であり、Ｍc-oが５０以下であるシアン染料とオレンジ染料の具体的な組み合わせとしては、表１９及び表２０に示すＣＯ１００〜ＣＯ２１４の組み合わせが挙げられる。
【００５９】
【表１９】
2018177940.tif 000022
【００６０】
【表２０】
2018177940.tif 000023
【００６１】
本実施形態のインクセットは、コンポジットブラックの色変動をより一層低減（抑制）する観点から、ＹＭ１００〜ＹＭ８０８から選択される１種と、ＣＯ１００〜ＣＯ２１４から選択される１種とを組み合わせることが好ましい。
【００６２】
本実施形態の各染料の含有量は、本発明の作用効果をより有効かつ確実に奏する観点から、各インク全体（１００質量％）に対し、１質量％以上２０質量％以下であることが好ましく、２質量％以上１５質量％以下とすることがより好ましく、３質量％以上１０質量％以下とすることがさらに好ましい。
【００６３】
［各インクの組成］
本実施形態の各インクは、例えば、上述した各インクに対応した染料と、有機溶剤と、水とを含有する。
【００６４】
［有機溶剤］
本実施形態の各インクは、有機溶剤を含有してもよい。本明細書にいう「有機溶剤」とは、２０℃、１気圧において液体状態にある有機溶剤をいう。有機溶剤としては、通常、インク成分として用いられる有機溶剤であれば、特に限定されない。
【００６５】
有機溶剤は、記録される画像の凝集ムラ及び滲みの発生をより一層抑制できる観点から、下記性質（Ａ）を満たす第１有機溶剤と、下記性質（Ｂ）又は（Ｃ）を満たす第２有機溶剤とを含むことが好ましい。なお、有機溶剤が下記性質（Ａ）〜（Ｃ）のいずれを満たすかどうか評価するための具体的な操作方法（例えば、ポリビニルアルコールと有機溶剤との混合比など）を、例えば、特開２０１４−１１８５０９号公報に記載の操作方法に準じて行ってもよい。
（Ａ）  ポリビニルアルコールとの混合物を作製した際に、該混合物の全質量に対して、７割以上の質量を有する塊が生じ、かつ、該塊に５．３ｇ／ｍｍ2以上７．１ｇ／ｍｍ2以下の荷重を加えた際に、該塊の全質量に対して、９割以上の質量を有する塊が生じる。
（Ｂ）  ポリビニルアルコールとの混合物を作製した際に、該混合物の全質量に対して７割以上の質量を有する塊が生じ、かつ、該塊に５．３ｇ／ｍｍ2以上７．１ｇ／ｍｍ2以下の荷重を加えた際に、該塊の全質量の９割以上の質量を有する塊が生じない。
（Ｃ）  ポリビニルアルコールとの混合物を作製した際に、該混合物の全質量に対して、７割以上の質量を有する塊が生じない。
【００６６】
各インクにおいて、第１有機溶剤の含有量（Ｓ１）と、第２有機溶剤の含有量（Ｓ２）との質量比（Ｓ１／Ｓ２）は、１５．３以上２０５以下であることが好ましく、２５．６以上１２２．５以下であることがより好ましい。質量比（Ｓ１／Ｓ２）が、  １５．３以上であることにより、被記録媒体に記録される画像の滲みの発生をより一層抑制できる傾向にあり、質量比（Ｓ１／Ｓ２）が、２０５以下であることにより、被記録媒体に記録される画像の凝集ムラの発生をより一層抑制できる傾向にある。質量比（Ｓ１／Ｓ２）が上記範囲内にあることによる効果は、種々の被記録媒体において発現可能であるが、これらの被記録媒体の中でも、親水性成分（特にポリビニルアルコール）を含有するインク受容層を有する被記録媒体であると、その効果は、より一層有効かつ確実に発現可能である。
【００６７】
第１有機溶剤としては、特に限定されないが、例えば、グリセリン、１，２−ヘキサンジオール、プロピレングリコール、２−ピロリドン、Ｎ−メチル−２−ピロリドン、エタノール、エチレングリコール、トリエタノールアミン、及びペンタンジオールが挙げられる。また、第１有機溶剤は、市販品を用いてもよく、市販品としては、エクアミドＭ１００（商品名、出光興産株式会社製、アミド系溶剤）が挙げられる。これらの第１有機溶剤は、１種を単独で、又は２種以上を組み合わせて用いることができる。
【００６８】
第２有機溶剤としては、特に限定されないが、例えば、ジエチレングリコール、トリエチレングリコール、ジプロピレングリコール、トリプロピレングリコール、ジエチレングリコールモノヘキシルエーテル、ジエチレングリコールモノ２−エチルヘキシルエーテル、テトラエチレングリコールモノヘキシルエーテル、テトラエチレングリコールモノ２−エチルヘキシルエーテル、ヘキサエチレングリコールモノ２−エチルヘキシルエーテル、２-メトキシエタノール、ジエチレングリコールモノブチルエーテル、ジエチレングリコールモノメチルエーテル、トリエチレングリコールモノメチルエーテル、トリエチレングリコールモノブチルエーテル、ジプロピレングリコールモノプロピルエーテル、エチレングリコールモノエチルエーテル、及びエチレングリコールモノブチルエーテルが挙げられる。これらの第２有機溶剤は、１種を単独で、又は２種以上を組み合わせて用いることができる。これらの中でも、炭素数６〜８のアルキル基を有するグリコールエーテルは、浸透剤としての効果が高く、被記録媒体に付着（着弾）後すばやく浸透することにより、凝集ムラの抑制効果がより一層高まる観点から、炭素数６〜８のアルキル基を有するグリコールエーテルであることが好ましく、ジエチレングリコールモノヘキシルエーテルであることがより好ましい。
【００６９】
第１有機溶剤及び第２有機溶剤は、２０℃の水１００ｇに対する溶解度が１０ｇ以上であることが好ましく、６０ｇ以上であることがより好ましい。溶解度が１０ｇ以上であることにより、第１有機溶剤及び第２有機溶剤がインク中の水に良好に溶解しつつ、第１有機溶剤と、第２有機溶剤との相溶性も良好となり、各成分の分離が抑制され、保存安定性が優れる傾向にある。
【００７０】
第１有機溶剤の含有量は、インク全体（１００質量％）に対して、１５質量％以上４０質量％以下であることが好ましく、２０．５質量％以上３７．５質量％以下であることがより好ましく、２０．５質量％以上３０．５質量％以下であることがさらに好ましい。第１有機溶剤の含有量が上記範囲内にあることにより、滲みの発生及び被記録媒体上でのインクの溢れをより一層抑制できるとともに、インクの吐出安定性がより一層良好なものとなる。
【００７１】
第２有機溶剤の含有量は、インク全体（１００質量％）に対して、０．１質量％以上５質量％以下であることが好ましく、０．２質量％以上４質量％以下であることがより好ましく、０．２質量％以上２質量％以下であることがさらに好ましい。第２有機溶剤の含有量が上記範囲内にあることにより、凝集ムラの発生をより一層抑制できるとともに、インクの濡れ性をより一層向上できる。
【００７２】
第１有機溶剤及び第２有機溶剤の総含有量（Ｓ１＋Ｓ２）は、インク全体（１００質量％）に対して、１５質量％以上５０質量％以下であることが好ましく、２０質量％以上４０質量％以下であることがより好ましく、２０質量％以上３５質量％以下であることがさらに好ましい。総含有量（Ｓ１＋Ｓ２）が上記範囲内にあることにより、凝集ムラ、滲みの発生及びインクジェット式記録ヘッドのノズルの目詰まりをより一層抑制できるとともに、インクの保存安定性をより一層向上できる傾向にある。
【００７３】
［水］
水としては、特に限定されず、例えば、イオン交換水、限外濾過水、逆浸透水、純水（例えば、蒸留水）、及びイオン性不純物を極力除去した水（例えば、超純水）が挙げられる。また、紫外線照射又は過酸化水素の添加などにより滅菌した水を用いると、インクを長期保存する場合にカビやバクテリアの発生を防止できる。水の含有量は、特に限定されず、例えば、インク全体（１００質量％）に対して、５０質量％以上８０質量％以下であってもよい。
【００７４】
［その他の成分］
本実施形態のインクは、さらにその他の成分を含有してもよい。その他の成分としては、例えば、界面活性剤、防腐剤又は防カビ剤、キレート化剤、及び防錆剤が挙げられる。
【００７５】
［界面活性剤］
界面活性剤としては、例えば、ノニオン系界面活性剤（例えば、シリコーン系界面活性剤及びアセチレングリコール系界面活性剤）が挙げられる。
【００７６】
シリコーン系界面活性剤としては、例えば、ＢＹＫ−３０６、ＢＹＫ−３０７、ＢＹＫ−３３３、ＢＹＫ−３４１、ＢＹＫ−３４５、ＢＹＫ−３４６、ＢＹＫ−３４８（以上商品名、ビックケミー・ジャパン株式会社製品）、ＫＦ−３５１Ａ、ＫＦ−３５２Ａ、ＫＦ−３５３、ＫＦ−３５４Ｌ、ＫＦ−３５５Ａ、ＫＦ−６１５Ａ、ＫＦ−９４５、ＫＦ−６４０、ＫＦ−６４２、ＫＦ−６４３、ＫＦ−６０２０、Ｘ−２２−４５１５、ＫＦ−６０１１、ＫＦ−６０１２、ＫＦ−６０１５、ＫＦ−６０１７（以上商品名、信越化学株式会社製品）が挙げられる。
【００７７】
アセチレングリコール系界面活性剤としては、例えば、サーフィノール１０４、１０４Ｅ、１０４Ｈ、１０４Ａ、１０４ＢＣ、１０４ＤＰＭ、１０４ＰＡ、１０４ＰＧ−５０、１０４Ｓ、４２０、４４０、４６５、４８５、ＳＥ、ＳＥ−Ｆ、５０４、６１、ＤＦ３７、ＣＴ１１１、ＣＴ１２１、ＣＴ１３１、ＣＴ１３６、ＴＧ、ＧＡ、ＤＦ１１０Ｄ（以上全て商品名、Ａｉｒ Ｐｒｏｄｕｃｔｓ ａｎｄ Ｃｈｅｍｉｃａｌｓ． Ｉｎｃ．社製品）、オルフィンＢ、Ｙ、Ｐ、Ａ、ＳＴＧ、ＳＰＣ、Ｅ１００４、Ｅ１０１０、ＰＤ−００１、ＰＤ−００２Ｗ、ＰＤ−００３、ＰＤ−００４、ＥＸＰ．４００１、ＥＸＰ．４０３６、ＥＸＰ．４０５１、ＡＦ−１０３、ＡＦ−１０４、ＡＫ−０２、ＳＫ−１４、ＡＥ−３（以上全て商品名、日信化学工業株式会社製品）、アセチレノールＥ００、Ｅ００Ｐ、Ｅ４０、Ｅ１００（以上全て商品名、川研ファインケミカル株式会社製品）が挙げられる。
【００７８】
界面活性剤の含有量は、インク全体（１００質量％）に対して、特に限定されず、例えば、２．０質量％以下であってもよい。
【００７９】
［防腐剤又は防カビ剤］
防腐剤又は防カビ剤としては、特に限定されないが、例えば、安息香酸ナトリウム、ペンタクロロフェノールナトリウム、２−ピリジンチオール−１−オキサイドナトリウム、ソルビン酸ナトリウム、デヒドロ酢酸ナトリウム、１，２−ベンズイソチアゾリン−３−オンが挙げられる。防腐剤又は防カビ剤は、市販品を用いてもよく、市販品としては、プロキセルＸＬ２、プロキセルＧＸＬ（以上商品名、アビシア社製品）、デニサイドＣＳＡ、ＮＳ−５００Ｗ（以上商品名、ナガセケムテックス株式会社製品）が挙げられる。
【００８０】
防腐剤又は防カビ剤の含有量は、インク全体（１００質量％）に対して、特に限定されず、例えば、１．０質量％以下であってもよい。
【００８１】
[キレート化剤]
キレート化剤としては、特に限定されないが、例えば、エチレンジアミン四酢酸（ＥＤＴＡ）及びこれらの塩類（例えば、エチレンジアミン四酢酸二水素二ナトリウム塩）、３−ヒドロキシー２，２’−イミノジコハク酸（ＨＩＤＳ）及びこれらの塩類（３−ヒドロキシー２，２’−イミノジコハク酸四ナトリウム）、並びにイミノジコハク酸（ＩＤＳ）及びこれらの塩類（イミノジコハク酸四ナトリウム）が挙げられる。
【００８２】
キレート化剤の含有量は、インク全体（１００質量％）に対して、特に限定されず、例えば、０．１質量％以下であってもよい。
【００８３】
[防錆剤]
防錆剤としては、特に限定されないが、例えば、ベンゾトリアゾールが挙げられる。
【００８４】
防錆剤の含有量は、インク全体（１００質量％）に対して、特に限定されず、例えば、０．１質量％以下であってもよい。
【００８５】
[インクジェット記録方法]
本実施形態のインクジェット記録方法は、被記録媒体へのインクジェット記録方法であって、本実施形態のインクセットの各インクを吐出させることにより、被記録媒体に付着させる付着工程を含む。本実施形態のインクジェット記録方法は、本実施形態のインクセットの各インクを吐出させ、被記録媒体に付着させることにより、高湿環境下で画像の滲みが生じても、コンポジットブラックの色変動を低減（抑制）することができる。
【００８６】
図４は、本実施形態のインクジェット記録方法の一例を示すフローチャートである。図４に示すように、本実施形態のインクジェット記録方法は、上記付着工程を含む。
【００８７】
［被記録媒体］
本実施形態のインクジェット記録方法に適用できる被記録媒体としては、特に限定されないが、例えば、水溶性インクを容易に浸透可能なインク受容層を有する被記録媒体が挙げられる。
【００８８】
インク受容層は、親水性成分を含有することが好ましい。親水性成分を含有するインク受容層を有する被記録媒体は、水溶性インクの浸透性に優れ、比較的低コストである反面、水溶性の染料を含有するインクと組み合わせると滲みが生じやすく、高湿環境下では、滲みによるコンポジットブラックの色変動を抑制できず、低コスト化と色変動の抑制とを両立できないという問題がある。しかしながら、本実施形態のインクジェット記録方法に上記の被記録媒体を適用すると、高湿環境下で滲みが生じても、コンポジットブラックの色変動を抑制（低減）できるため、低コスト化と、コンポジットブラックの色変動の抑制（低減）とを両立できる。
【００８９】
親水性成分としては、特に限定されず、例えば、ポリビニルアルコール（ＰＶＡ）、ポリビニルピロリドン、ポリエチレンオキサイド、澱粉、セルロース誘導体（例えば、カルボキシメチルセルロース）、カゼイン、及びゼラチンが挙げられる。これらの親水性成分は、１種を単独で、又は２種以上を組み合わせて用いることができる。これらの中でも、本発明の作用効果をより有効かつ確実に奏する観点から、ポリビニルアルコールであることが好ましい。
【００９０】
被記録媒体の具体例としては、特に限定されないが、例えば、バックリットフィルムが例示できる。
【００９１】
［付着工程］
本実施形態の付着工程では、例えば、インクジェット記録装置を用いて、インクセットの各インクを吐出させることにより、被記録媒体に付着させる。インクジェット記録装置としては、インクを被記録媒体に吐出するための吐出手段を備えていれば特に制限されない。吐出手段は、インクジェット記録方式で、被記録媒体上にインクの液滴を吐出して、被記録媒体上に画像を記録する手段である。吐出手段としては、従来公知の方式を使用でき、中でも圧電素子の振動を利用して液滴を吐出させる動作、すなわち電歪素子の機械的変形によりインク滴を形成するヘッドを用いた記録動作が挙げられる。
【００９２】
本実施形態は、上記インクセットの各インクを、被記録媒体に付着させ、コンポジットブラックの色変動を低減する方法を含む。
【００９３】
本実施形態によれば、湿度によるコンポジットブラックの色変動を低減可能なインクセット及びインクジェット記録方法を提供できる。
【実施例】
【００９４】
以下、本発明を実施例により具体的に説明する。本発明は、以下の実施例によって何ら限定されるものではない。
【００９５】
［実施例１〜７、比較例１〜７、及び参考例１］
下記表１Ａ及び表２Ａに示すイエローインク（Ｙ１〜Ｙ１５）、マゼンタインク（Ｍ１〜Ｍ１５）、シアンインク（Ｃ１〜Ｃ１５）、及びオレンジインク（Ｏｒ１〜Ｏｒ１５）からなるインクセットを調製した。具体的には表１Ａ及び表２Ａに記載の各成分を混合溶解し、０．４５μｍのメンブランフィルターでろ過することによりインクセットを調製した。
【００９６】
【表１Ａ】
2018177940.tif 000024
【００９７】
【表２Ａ】
2018177940.tif 000025
【００９８】
各インクセットをセイコーエプソン株式会社製プリンター「ＰＸ−Ｇ９３０」を用いて、各実施例、比較例、及び参考例に係るイエローインク、マゼンタインク、シアンインク、及びオレンジインク（比較例１〜３、及び参考例１については、イエローインク、マゼンタインク、及びシアンインク）を被記録媒体（商品名「ギャラリークラシックグロス」、イルホード社製品、ＰＶＡを含有するインク受容層を有する被記録媒体）上に付着させることにより、被記録媒体上で混合して形成されたコンポジットブラックを印刷した。印刷した被記録媒体を常温室内において１日放置後、４０℃８０％ＲＨの環境で４８時間放置した後の色差△Ｅを求めた。なお、色差△Ｅは、下記式で表される。
色差：△Ｅ＝｛（△Ｌ*）2＋（△ａ*）2＋（△ｂ*）2｝1/2
（式中、△Ｌ*、△ａ*、△ｂ*は試験前と試験後におけるＬ*ａ*ｂ*表色系のそれぞれの座標の差を意味する。）
【００９９】
下記の評価基準に基づき、コンポジットブラックの色変動の評価を行った。評価結果を表３Ａに示す。
Ａ：△Ｅが３以下
Ｂ：△Ｅが３を超え、７未満
Ｃ：△Ｅが７以上
【０１００】
【表３Ａ】
2018177940.tif 000026
【０１０１】
表３Ａに示すようにイエロー染料、マゼンタ染料、シアン染料、及びオレンジ染料を組み合わせ、かつＭc-m及びＭc-oが１００以下である実施例１〜７では色変動評価がＡ又はＢであり、コンポジットブラックの色変動が抑制されていることが確認できた。特に、各染料の分子量が８００以上である実施例４及び６、並びに各染料の分子量が８００未満であるが、Ｍc-m及びＭc-oが５０以下と極めて小さい実施例５は、コンポジットブラックの色変動がより一層抑制されていることを確認できた。
【０１０２】
また、各染料の分子量が８００未満である実施例１、３、及び５は、分子量が８００以上であるイエロー染料、マゼンタ染料、及びシアン染料を組み合わせた参考例１と同程度あるいはそれ以上の色変動の抑制を確認できた。この結果から、本発明のインクセットは、各染料の種類に制約されず、コンポジットブラックの色変動を抑制できることを確認できた。
【図１】
2018177940.tif 000027
【図２】
2018177940.tif 000028
【図３】
2018177940.tif 000029
【図４】
2018177940.tif 000030